(57)【要約】【課題】  簡易な構造で、同軸ケーブル２０とグランドバー３０とを確実に接合するとともに、接合用の半田が同軸ケーブル２０内に進入することを良好に防止することを可能とする。【解決手段】  並列状に配置された多極の同軸ケーブル２０の外部導体２０ｃどうしを半田付けにより連結するグランドバー３０に、並列方向に隣接する一対の同軸ケーブル２０の外部導体２０ｃどうしの隙間空間部分に挿入される凸状仕切部３１，３２を設け、各同軸ケーブル２０の外部導体２０ｃに対して凸状仕切部３１，３２を接触状態または近接状態とし、前記隙間空間を極めて小さい空間として従来のような余剰な半田の発生を防止するとともに、グランドバー３０と同軸ケーブル２０の外部導体２０ｃとを接合する半田を凸状仕切部３１，３２に対して接合させることにより極めて強度の高い半田接合を行わせるように構成したもの。【選択図】      図１
2007123104.tif 000002
【特許請求の範囲】
【請求項１】
並列状をなすように配設された多極の同軸ケーブルの端末部分に一括接続されるものであって、
前記同軸ケーブルの並列方向に延在して該同軸ケーブルの外部導体どうしを半田付けにより連結するグランドバーを備えた同軸ケーブル用コネクタにおいて、
前記グランドバーは、前記並列方向に隣接する一対の同軸ケーブルの外部導体どうしの間の隙間空間部分に挿入される凸状仕切部を有していることを特徴とする同軸ケーブル用コネクタ。
【請求項２】
前記凸状仕切部は、前記グランドバーの一部を折り曲げて形成されていることを特徴とする請求項１記載の同軸ケーブル用コネクタ。
【請求項３】
前記凸状仕切部の一部が、コネクタハウジングに設けられた収納溝の内部に挿入されていることを特徴とする請求項１または請求項２記載の同軸ケーブル用コネクタ。
【請求項４】
前記凸状仕切部の一部が、シールドカバーに設けられた挿通孔の内部に挿入されていることを特徴とする請求項１または請求項２記載の同軸ケーブル用コネクタ。
【請求項５】
前記凸状仕切部は、前記グランドバーの両側端縁において互いに対面し合う一対のものが設けられ、
それら一対の凸状仕切部の間に、前記同軸ケーブルの外部導体を掛け渡すようにして他のグランドバーが配置され半田接合されていることを特徴とする請求項２記載の同軸ケーブル用コネクタ。
【発明の詳細な説明】
【技術分野】
【０００１】
本発明は、多極の同軸ケーブルの端末部分に接続される同軸ケーブル用コネクタに関する。
【背景技術】
【０００２】
一般に、並列状をなすように配設された多極の同軸ケーブルを一括接続する同軸ケーブル用コネクタが、下記の特許文献１等において広く知られている。同文献１に記載された同軸ケーブル用コネクタにおいては、同軸ケーブルの端末部分で外部被覆が被覆剥き（ストリップ）されることによって露出された外部導体（シールド導体層）に対して、平板状をなすグランドバー（グランドプレート）が当接されて半田付けされ、さらにそのグランドバーに対してシールドカバーを接触させることによってアース接地を行う構成になされている（同文献１中の図１２、符号１５参照）。このような構成を採用した同軸ケーブル用コネクタによれば、コネクタハウジングの高さおよび幅をコンパクト化することが可能となり、低背化、狭ピッチ化、さらには組立の容易化等を図ることができる。
【０００３】
しかしながら、このような特許文献１等に開示された従来の同軸ケーブル用コネクタにおいても次のような点において解決すべき課題が存在している。すなわち、同文献１に記載されたコネクタ構造では、同軸ケーブルの外部導体が、当該外部導体を上下両側から挟み込むように配置された２体の平板状のグランドバーの各々に対して線接触した状態で接合されているに過ぎない。つまり、グランドバーと同軸ケーブルの外部導体との実質的な半田付け面積は極めて少なく、強度の低い半田接合が行われる。しかも、互いに隣接する同軸ケーブルどうしの間に比較的大きな隙間空間部分が形成されている。その結果、同軸ケーブルどうしの隙間空間部分に、余剰となった半田が溶融状態で保持され、その余剰となった半田が、同軸ケーブルの外部導体と外部被覆との間に向かって毛細管現象により流入し、その流入した半田が硬化することによってケーブルの屈曲性が損なわれてしまい、ケーブル破断の原因になるおそれがある。
【０００４】
また、並列された複数本の同軸ケーブルと半田付けされた平板状のグランドバーの長手方向の両端部のみがコネクタハウジングに位置決め保持された構造となっている場合に、並列方向の中央部分に配置された同軸ケーブルが作業者等により引っ張られてしまうと、グランドバーに撓みが発生し、特に前記中央付近の同軸ケーブルの内部導体（芯線）にまで引張り力が及んで断線が発生するおそれもある。
【０００５】
【特許文献１】特開２００４−２５９６７２号公報
【発明の開示】
【発明が解決しようとする課題】
【０００６】
そこで本発明は、簡易な構造で、同軸ケーブルとグランドバーとを確実に接合するとともに、接合用の半田が同軸ケーブル内に進入することを良好に防止し、またグランドバーの強度を向上させることにより、断線などの不具合を解消することができるようにした同軸ケーブル用コネクタを提供することを目的とする。
【課題を解決するための手段】
【０００７】
上記目的を達成するため本発明にかかる同軸ケーブル用コネクタでは、並列状をなすように配設された多極の同軸ケーブルの端末部分に一括接続されるものであって、前記同軸ケーブルの並列方向に延在して該同軸ケーブルの外部導体どうしを半田付けにより連結するグランドバーを備えた同軸ケーブル用コネクタにおいて、前記グランドバーは、前記並列方向に隣接する一対の同軸ケーブルの外部導体どうしの間の隙間空間部分に挿入される凸状仕切部を有している。
【０００８】
このような構成を有する本発明によれば、並列方向に隣接する同軸ケーブルの外部導体どうしの間の隙間空間部分に挿入されたグランドバーの凸状仕切部により、各同軸ケーブルの外部導体に対して凸状仕切部が接触状態または近接状態になされることとなる。その結果、上記隙間空間が前述従来例と比較して小さくなり適切な空間になされ、従来のような余剰な半田の発生が防止されるとともに、グランドバーと同軸ケーブルの外部導体とを接合する半田が凸状仕切部に対しても接合されることから、極めて強度の高い半田接合が行われるようになっている。
【０００９】
また、本発明にかかる同軸ケーブル用コネクタでは、前記凸状仕切部は、前記グランドバーの一部を折り曲げて形成されている。このような構成を有する本発明によれば、凸状仕切部をグランドバーとともに一体的に形成することが可能となり、生産性を向上させることができるとともに、グランドバー自体の強度も向上させることができる。
【００１０】
さらに、本発明にかかる同軸ケーブル用コネクタでは、前記凸状仕切部の一部が、コネクタハウジングに設けられた収納溝の内部に挿入され、または前記凸状仕切部の一部が、シールドカバーに設けられた挿通孔の内部に挿入されている。
【００１１】
このような構成を有する本発明によれば、凸状仕切部の本来の位置がずれることなく安定性が向上されることとなって外力に対する撓みが良好に防止され、同軸ケーブルの保持が確実に行われるようになっている。
【００１２】
また、本発明にかかる同軸ケーブル用コネクタでは、前記凸状仕切部がグランドバーの両側端縁において互いに対面し合う一対のものが設けられ、それら一対の凸状仕切部の間に前記同軸ケーブルの外部導体を掛け渡すようにして他のグランドバーが配置され半田接合されている。
【００１３】
このような構成を有する本発明によれば、グランドバーと同軸ケーブルの外部導体との半田接触面積が拡大することから、強度の高い半田接合が得られる。
【発明の効果】
【００１４】
以上述べたように本発明にかかる同軸ケーブル用コネクタは、並列状に配設された多極の同軸ケーブルの外部導体どうしを半田付けにより連結するグランドバーに、並列方向に隣接する一対の同軸ケーブルの外部導体どうしの間の隙間空間部分に挿入される凸状仕切部を設けたことにより、各同軸ケーブルの外部導体に対して凸状仕切部を接触状態または近接状態として従来のような余剰な半田の発生を防止するとともに、極めて強度の高い半田接合を行うように構成したものであるから、簡易な構造で、同軸ケーブルとグランドバーとを確実に接合するとともに、接合用の半田が同軸ケーブルの外部導体と外部被覆との間に進入することを良好に防止することができ、同軸ケーブルの破断や断線の発生を低コストで回避して同軸ケーブル用コネクタの信頼性を向上させることができる。
【発明を実施するための最良の形態】
【００１５】
以下、本発明の実施形態を図面に基づいて詳細に説明する。
図１ないし図３に示されている本発明の一実施形態にかかる同軸ケーブル用コネクタ１０には、略平行に並列された複数本の多極をなす同軸ケーブル２０，２０，・・・の端末部分が一括して接続されている。この同軸ケーブル２０が一括接続された同軸ケーブル用コネクタ１０は、図示を省略した嵌合相手のコネクタと各導電端子１１ｂを通じて接続される。
【００１６】
前記同軸ケーブル用コネクタ１０は、細長基板状をなす平板状の絶縁性合成樹脂材からなるコネクタハウジング１１を備えている。このコネクタハウジング１１の底部側（図２の下面側）には、コネクタ嵌合方向（図２の下方向）に延在す嵌合孔１１ａが、前記コネクタハウジング１１の底面に開口するように穿設されている。この嵌合孔１１ａは、図示を省略した嵌合相手の電気コネクタと嵌合可能な形状に形成されているが、その嵌合孔１１ａの内表面に沿うようにして導電端子（コンタクト）１１ｂが配置されている。この導電端子（コンタクト）１１ｂは、前記コネクタハウジング１１の内部にインサート成形や個別の部材を組立てることなどにより埋設された状態で収容されていて、前記コネクタハウジング１１の長手方向である幅方向、つまり前記同軸ケーブル２０の並列方向に沿って同軸ケーブル２０と同数かつ同ピッチ間隔で略平行に並設されている。（図３参照）
【００１７】
これらの各導電端子１１ｂ，１１ｂ，・・・は、側面略Ｌ字状に折れ曲がるように形成されており、上述した嵌合孔１１ａの内側表面に沿って図２の上方側に向かって延出した後に、前記コネクタハウジング１１の図２の上面に沿って延在しており、その延在部位がケーブル接続部１１ｃになされている。そのケーブル接続部１１ｃ上には、上述した各同軸ケーブル２０の端末部分を被覆剥き（ストリップ）することによって露出された中心導体（芯線）２０ａが、図２の上方側から載置されており、半田付けにより接合状態になされている。
【００１８】
また、上述したコネクタハウジング１１には、図２の上方側から、略直方体状の絶縁板１２が前記ケーブル接続部１１ｃ上の中心導体（芯線）２０ａを覆うように装着されているとともに、その絶縁板１２を介して、薄板状金属部材からなるシールドカバー１３が図２の上方側から装着されている。
【００１９】
前記シールドカバー１３は、前記絶縁板１２の外表面から前記同軸ケーブル２０の図２上面側を覆うように配置されているが、そのシールドカバー１３が同軸ケーブル２０を覆っている部位の内面側（図２の下面側）には、細長の板状金属部材からなるグランドバー（グランドプレート）３０が配置されている。すなわち、このグランドバー３０の図２上面側は、前記シールドカバー１３に当接した状態で配置されているとともに、当該グランドバー３０の下面側４１は、前記同軸ケーブル２０の外部被覆２０ｂが被覆剥き（ストリップ）されることによって露出された外部導体（シールド導体層）２０ｃの図２上面側に当接されており、そのような当接関係で半田付け接合が行われていることによってアース接地が行われている。
【００２０】
一方、上述したグランドバー３０の両側端縁４２，４３の各々には、当該両側端縁の長手方向に沿って櫛形状をなすように多数設けられた凸状仕切部３１，３２が設けられている。これらの各凸状仕切部３１，３２は、並列方向に隣接する一対の同軸ケーブル２０の外部導体２０ｃ，２０ｃどうしの間の位置に対応して配置されており、当該凸状仕切部３１，３２が、並列方向に隣接する一対の外部導体２０ｃ，２０ｃどうしの間の隙間空間部分に挿入される構成になされている。すなわち、上記各凸状仕切部３１，３２は、グランドバー３０と一体の部材として形成されたものであって、前記グランドバー３０の両側端縁４２，４３の各々から図２の下方に向かって略直角に折り曲げ形成されることにより、略平行状態にて互いに対面し合うようにして同方向に所定量だけ延出した後、その延出先端部分が、互いに向かい合うようにして内方側に向かって略直角に折れ曲げられており、それら両凸状仕切部３１，３２の先端面どうしが互いに近接した状態に配置されている。
【００２１】
このような構成を有する本実施形態によれば、並列方向に隣接する同軸ケーブル２０，２０の外部導体２０ｃ，２０ｃどうしの間の隙間空間部分に挿入されたグランドバー３０の凸状仕切部３１，３２により、各同軸ケーブル２０の外部導体２０ｃに対して凸状仕切部３１，３２が接触状態または近接状態になされることとなる。その結果、上記隙間空間が適宜の極めて小さい空間になされ、従来のような余剰な半田の発生が防止されるとともに、グランドバー３０と同軸ケーブル２０の外部導体２０ｃとを接合する半田が凸状仕切部３１，３２に対しても接合されることから、グランドバー３０と同軸ケーブル２０の外部導体２０ｃとの半田接触面積が拡大し極めて強度の高い半田接合が行われるようになっている。
【００２２】
また、本実施形態によれば、前記凸状仕切部３１，３２がグランドバー３０の一部を折り曲げて形成されており、当該凸状仕切部３１，３２がグランドバー３０とともに一体的に形成されていることから、生産性の向上が図られるとともに、グランドバー３０自体の強度も向上するようになっている。
【００２３】
次に、上述した第１の実施形態と同一の構成物に対して同一の符号を付した図４ないし図６に表された第２の実施形態について説明する。本実施形態においては、グランドバー３０に設けられた凸状仕切部３３，３４の各先端部分（図４の下端部分）が、コネクタハウジング１１に設けられた収納溝１１ｄ，１１ｅの内部に挿入されており、その点において上述した第１の実施形態と異なっている。
【００２４】
すなわち、本実施形態におけるグランドバー３０に設けられた両凸状仕切部３３，３４は、グランドバー３０の両側端縁４２，４３から図４の下方に向かって略直角に折り曲げ形成されて、並列方向に隣接する一対の同軸ケーブル２０の外部導体２０ｃ，２０ｃどうしの間の隙間空間部分に挿入されている点は上述した第１の実施形態と同様であるが、それら両凸状仕切部３３，３４の各先端部分は、そのまま図４の下方側に向かって略直線状に延出するように設けられている。（図５および図６参照）
【００２５】
一方、コネクタハウジング１１側には、前記両凸状仕切部３３，３４の各先端部分に対応する位置に、長手方向（図４の紙面垂直方向）に沿って細長状に延在する収納溝１１ｄ，１１ｅが形成されている。そして、それら各収納溝１１ｄ，１１ｅの内部に、上述した両凸状仕切部３３，３４の先端部分の各々が挿入されている。
【００２６】
このように第２の実施形態では、前記凸状仕切部３３，３４の先端部分がコネクタハウジング側の収納溝１１ｄ，１１ｅの内部に挿入されていることから、上述した第１の実施形態における作用・効果に加えて、凸状仕切部３３，３４の本来の位置がずれることなく安定性が向上されることとなり、同軸ケーブル２０等に外力が付加された場合であっても過剰な撓みの発生をなくして確実な保持が可能となる。
【００２７】
さらに、上述した各実施形態と同一の構成物に対して同一の符号を付した図７および図８に示された第３の実施形態においては、グランドバー３０がコネクタハウジング１１側にセットされており、そのグランドバー３０の両側端縁４２，４３から立ち上がるように折り曲げられた両凸状仕切部３５，３６の各先端部分（図７の上端部分）は、シールドカバー１３に設けられた挿通孔１１ｆ，１１ｇの内部を貫通し、シールドカバー１３の図７上面側に露出している。上記の状態のままでもよいが、更に前記シールドカバー１３とグランドバー３０との係合を強固にするために、それらの各凸状仕切部３５，３６の外部露出部分を、前記シールドカバー１３の図７上面側において、互いに向かい合う内方側に向かって略直角に折れ曲げ、先端面どうしが互いに近接した状態に配置してもよい。（図８参照）
【００２８】
このように当該第３の実施形態では、グランドバー３０に設けられた凸状仕切部３５，３６の先端部分が、シールドカバー１３の挿通孔１１ｆ，１１ｇの内部に挿入されている。また、シールドカバー１３は、図示しない係合機構により確実にコネクタハウジング１１に固定されていることから、上述した第１の実施形態における作用・効果に加えて、凸状仕切部３５，３６の本来の位置がずれることなく安定性が向上されることとなり、同軸ケーブル２０等に外力が付加された場合であっても過剰な撓みの発生をなくして確実な保持が可能となる。
【００２９】
以上本発明者によってなされた発明を実施形態に基づき具体的に説明したが、本発明は上記実施形態に限定されるものではなく、その要旨を逸脱しない範囲で種々変形可能であるというのはいうまでもない。
【００３０】
例えば、上述した第２および第３の実施形態において、一対の凸状仕切部の間部分に、例えば図４中の二点鎖線で示されているような平板状金属部材からなる他のグランドバー（グランドプレート）４０を配置し、当該他のグランドバーを同軸ケーブルの外部導体に掛け渡すように配置して半田接合することも可能である。（図４参照）この場合、グランドバーと同軸ケーブルの外部導体との半田接触面積が拡大し、強度の高い半田接合が得られる。
【００３１】
また上述した各実施形態では、同軸ケーブルの延在方向に対して略直交する方向にコネクタを嵌合する構成になされているが、同軸ケーブルの延在方向など種々の方向に嵌合する同軸ケーブル用コネクタに対しても本発明は同様に適用することができるものである。
【産業上の利用可能性】
【００３２】
以上述べた本発明にかかる同軸ケーブル用コネクタは、各種電気機器に使用する多種多様な電気コネクタに対して広く適用することが可能である。
【図面の簡単な説明】
【００３３】
【図１】本発明の一実施形態にかかる同軸ケーブル用コネクタにおけるグランドバー配置部位を拡大して表した外観斜視説明図である。
【図２】図１に示された本発明の一実施形態にかかる同軸ケーブル用コネクタの縦断面説明図である。
【図３】図２に示された本発明の一実施形態にかかる同軸ケーブル用コネクタからシールドカバーおよび絶縁板を取り外した状態を表した平面説明図である。
【図４】本発明の他の実施形態にかかる同軸ケーブル用コネクタを表した縦断面説明図である。
【図５】図４に示された本発明の他の実施形態にかかる同軸ケーブル用コネクタからシールドカバーおよび絶縁板を取り外した状態を表した縦断面説明図である。
【図６】図５に示された同軸ケーブル用コネクタの平面説明図である。
【図７】本発明のさらに他の実施形態にかかる同軸ケーブル用コネクタを表した縦断面説明図である。
【図８】図７に示された本発明の一実施形態にかかる同軸ケーブル用コネクタからシールドカバーおよび絶縁板を取り外した状態を表した平面説明図である。
【符号の説明】
【００３４】
１０  同軸ケーブル用コネクタ
１１  コネクタハウジング
１１ａ  嵌合孔
１１ｂ  導電端子（コンタクト）
１１ｃ  ケーブル接続部
１１ｄ，１１ｅ  収納溝
１１ｆ，１１ｇ  挿通孔
１２  絶縁板
１３  シールドカバー
２０  同軸ケーブル
２０ａ  中心導体（芯線）
２０ｂ  外部被覆
２０ｃ  外部導体（シールド導体層）
３０，４０  グランドバー
３１，３２，３３，３４，３５，３６  凸状仕切部
４１    グランドバー下面側
４２，４３  グランドバー側端縁
【図１】
2007123104.tif 000003
【図２】
2007123104.tif 000004
【図３】
2007123104.tif 000005
【図４】
2007123104.tif 000006
【図５】
2007123104.tif 000007
【図６】
2007123104.tif 000008
【図７】
2007123104.tif 000009
【図８】
2007123104.tif 000010